(57)【要約】      （修正有）【課題】今日使用されている画像（例えばｂｉｔｍａｐやｊｐｅｇ、ｇｉｆ）は、圧縮アルゴリズム、データの保存方法で方式が異なるものの、画面に表示されるものは２次元に配列した点であり、このような画像を拡大してもこれらの点が大きく表示されるだけである。【解決手段】本件で提案するＳｐａｃｅ−ｍａｐ画像は、画像の中に３次元Ｘ−Ｙ−Ｚの仮想空間を構築し、更に、異なる仮想空間への入り口Ｗ方向（どこでもドアのようなもの）を定義することで４次元の仮想空間を構築している。  画像自身がオペレーティングシステムの機能を有し、その仮想空間の中で様々なアプリケーションを実行することができる機能を提供することで、ユーザは特定のオペレーティングシステムにのみ縛られることなく、多種多様のオペレーティングシステムの中から好みのオペレーティングシステムを選択して利用することができる。【選択図】図１
2004355594.tif 000002
【特許請求の範囲】
【請求項１】
４次元の仮想空間をもつ新しい画像規格  Ｓｐａｃｅ−ｍａｐ
【請求項２】
オペレーティングシステムやアプリケーションの機能をもつＳｐａｃｅ−ｍａｐ画像
【請求項３】
仮想空間内のオブジェクトの配置機能
【請求項４】
画像ビューアーの組み込み機能
【請求項５】
ファイルの入出力機能
【請求項６】
仮想論理ドライブ機能
【請求項７】
外部アプリケーションとの互換機能
【請求項８】
コマーシャル情報等の情報の配信
【発明の詳細な説明】
【０００１】従来の技術
今日使用されている画像（例えばｂｉｔｍａｐやｊｐｅｇ、ｇｉｆ）は、圧縮アルゴリズム、データの保存方法で方式が異なるものの、画面に表示されるものは２次元に配列した点であり、このような画像を拡大してもこれらの点が大きく表示されるだけである。
【０００２】
また、画像を閲覧するには、画像ビューアーの機能を持つアプリケーションを使用する必要があり、画像自身が持つ表現能力や機能は限られたものである。
【０００３】問題解決の手段
本件では画像の中に４次元の仮想空間を構築し、その仮想空間での作業を支援するためのオペレーティングシステム、アプリケーション、画像ビューアー等の機能を、この画像自体に組み込んだ新しい画像の規格Ｓｐａｃｅ−ｍａｐを提案する。
【０００４】４次元の仮想空間をもつ新しい画像規格  Ｓｐａｃｅ−ｍａｐ
本件で提案するＳｐａｃｅ−ｍａｐ画像は、図１に示すように画像の中に３次元Ｘ−Ｙ−Ｚの仮想空間を構築し、更に、異なる仮想空間への入り口Ｗ方向（どこでもドアのようなもの）を定義することで４次元の仮想空間を構築している。
【０００５】
以下に、Ｓｐａｃｅ−ｍａｐ画像の機能の提案する。
【０００６】
Ｓｐａｃｅ−ｍａｐ画像の中の仮想空間で、更にＳｐａｃｅ−ｍａｐ画像を新規作成することができ、その新しいＳｐａｃｅ−ｍａｐ画像の中の仮想空間へ移動し、新しい作業を行うことができる機能を提供する。
【０００７】オペレーティングシステムやアプリケーションの機能を持つＳｐａｃｅ−ｍａｐ画像
Ｓｐａｃｅ−ｍａｐ画像での様々な作業を支援するために、Ｓｐａｃｅ−ｍａｐ画像自身にオペレーティングシステムやアプリケーションの機能を組み込む。
【０００８】
Ｓｐａｃｅ−ｍａｐ画像内にボタンやメニュー、ダイアログ、フレームやウインドウを表示することで、ユーザの作業を支援する機能を提供する。
【０００９】
画像自身がオペレーティングシステムの機能を有し、その仮想空間の中で様々なアプリケーションを実行することができる機能を提供することで、ユーザは特定のオペレーティングシステムにのみ縛られることなく、多種多様のオペレーティングシステムの中から好みのオペレーティングシステムを選択して利用することができる。
【００１０】仮想空間内のオブジェクトの配置機能
Ｓｐａｃｅ−ｍａｐ画像内の仮想空間で、画像ファイルやアプリケーション、アイコン、ショートカット、メニュー、フレーム、ウインドウ、ダイアログ、キャラクタ、ロゴ、メディアプレーヤ、映像等のオブジェクトを配置することができる機能を提供する。
【００１１】
Ｓｐａｃｅ−ｍａｐ画像内で、オブジェクトの新規作成、消去、保存、編集、転写、移動、拡大縮小、回転、階層間の移動、Ｓｐａｃｅ−ｍａｐ外部のディレクトリへの移動、記録媒体への移動、ネットワーク上の移動等の機能を提供する。
【００１２】
Ｓｐａｃｅ−ｍａｐ画像内に置かれたオブジェクトを目的に応じて自動的に並び替えする機能を提供する。
【００１３】
特定の階層への移動の際にはパスワード等によるアクセス制限を設けることで、ネットワーク上に独自のコミュニティーを形成することができる機能を提供する。
【００１４】画像ビューアーの組み込み機能
Ｓｐａｃｅ−ｍａｐ画像の保存の際に画像自身へ画像ビューアーを組み込む機能を提供する。
【００１５】
画像ビューアーの機能が組み込まれたＳｐａｃｅ−ｍａｐ画像は、ファイル選択時に外部画像ビューアーなしに、内部の画像ビューアーによりＳｐａｃｅ−ｍａｐ画像を閲覧することができる。
【００１６】
画像ビューアーが組み込まれていないＳｐａｃｅ−ｍａｐ画像は、外部のアプリケーションを通して閲覧する必要があるが、画像容量を小さく抑えることができる。
【００１７】
画像ビューアー機能を与えた前者のＳｐａｃｅ−ｍａｐ画像が、外部の画像ビューアーで閲覧できる互換性を与える。
【００１８】ファイルの入出力機能
Ｓｐａｃｅ−ｍａｐ画像は単一の画像ファイルとして保存する機能を提供する。
【００１９】これにより他の画像と同様にＳｐａｃｅ−ｍａｐ画像を手軽に持ち運びすることができる。
【００２０】
Ｓｐａｃｅ−ｍａｐ画像内の仮想空間の階層構造に基づいて、外部のオペレーティングシステムでも利用可能なディレクトリを生成し、Ｓｐａｃｅ−ｍａｐ画像内のオブジェクトをそれぞれ保存する機能を提供する。
【００２１】
外部のフォルダを仮想空間に取り込み、フォルダの階層構造に従って仮想空間の階層構造を自動的に構築する機能を提供する。
【００２２】
Ｓｐａｃｅ−ｍａｐ画像は、仮想空間内で指定したオブジェクトを、外部のアプリケーションでも利用できるように多様な形式のファイルをエクスポートする機能を提供する。
【００２３】
Ｓｐａｃｅ−ｍａｐ画像は多様な形式のファイルを、Ｓｐａｃｅ−ｍａｐ画像で利用できるようにインポートする機能を提供する。
【００２４】
Ｓｐａｃｅ−ｍａｐ画像と外部ファイルとの間のドラッグアンドドロップ（マウスやタッチパッド、タブレット等によるアイコンの移動機能）による入出力機能を提供する。
【００２５】
Ｓｐａｃｅ−ｍａｐ画像を取り込み、指定した階層に取り込んだＳｐａｃｅ−ｍａｐ画像の仮想空間への入り口を構築し、新しい階層構造を構築する機能を提供する。
【００２６】
Ｓｐａｃｅ−ｍａｐ画像の階層構造を記述したプログラムにより、自動的に仮想空間の階層構造を連続生成する機能を提供する。
【００２７】
Ｓｐａｃｅ−ｍａｐ画像の保存の際に、画面に表示されている画像をｂｉｔｍａｐやｊｐｅｇ等の従来の画像として同時に記録し、外部ブラウザ等により詳細表示の際に画像を表示することでファイルの内容を把握することができる機能を提供する。
【００２８】仮想論理ドライブ機能
Ｓｐａｃｅ−ｍａｐ画像は、それぞれの階層が個々に仮想論理ドライブを持ち、それぞれが異なる作業領域として利用できる機能を提供する。
【００２９】
異なる階層の仮想論理ドライブへアドレス指定によってアクセスできる機能を提供する。
【００３０】
仮想空間内にショートカットを配置し、別の階層の仮想空間へ移動できる機能を提供する。
【００３１】
フォルダやツリーによるＳｐａｃｅ−ｍａｐ画像の階層構造の表示機能を提供し、表示された階層の選択により、目的の階層に移動することができる機能を提供する。
【００３２】外部アプリケーションとの互換機能
Ｓｐａｃｅ−ｍａｐ画像をワープロ文章、Ｗｅｂページ、表計算ファイル、プレゼンテーションファイル、メール等へ貼付けや添付し、外部のアプリケーションからでもＳｐａｃｅ−ｍａｐ画像の操作が可能な機能を提供する。
【００３３】コマーシャル情報等の情報の配信
Ｓｐａｃｅ−ｍａｐ画像を用いてコマーシャルや情報の配信を行う。
【００３４】
ユーザは、Ｓｐａｃｅ−ｍａｐ画像の中の仮想空間で、音楽や映像、コマーシャル情報、その他の様々な情報にアクセスすることができる機能を提供する。
【００３５】
ネットワークを介してコマーシャル情報をＳｐａｃｅ−ｍａｐ画像に組み込む機能を提供する。
【００３６】
Ｓｐａｃｅ−ｍａｐ画像を配布する際にネットワークを介してコマーシャル情報を自動的に組み込む機能を提供する。
【００３７】
Ｓｐａｃｅ−ｍａｐ画像にコマーシャル情報を組み込む際には、ユーザのプライバシーを保護するために、ユーザのＳｐａｃｅ−ｍａｐ画像の暗号化し、個人情報に触れることなくコマーシャル情報を組み込む機能を提供する。
【００３８】
大容量データ通信を用いて任意の階層の仮想空間に、瞬時に大容量の仮想空間を構築するサービスを提供する。
【００３９】
瞬時に大容量のデータを取り込み、Ｓｐａｃｅ−ｍａｐ画像を構築するために、端末側には大容量のメモリを用意し、通信するデータは事前にＳｐａｃｅ−ｍａｐ画像を構築した後の状態に変換しておく。
【００４０】
端末側がデータを受信した後、端末側のメモリがＳｐａｃｅ−ｍａｐ画像を構築した後の状態であるので、瞬時にＳｐａｃｅ−ｍａｐ画像を表示し、操作することができる。
【００４１】
Ｓｐａｃｅ−ｍａｐ画像の処理で必要となる演算をハードウェアレベルで実行する専用のプロセッサを電子機器に組み込むことで、Ｓｐａｃｅ−ｍａｐ画像を高速に処理することができる高性能の電子機器を市場に投入することができる。
【００４２】
以上、多機能のＳｐａｃｅ−ｍａｐ画像の規格化により新規のビジネスを創出することができる。
【図面の簡単な説明】
【図１】Ｓｐａｃｅ−ｍａｐ画像の４次元空間の説明図
【図１】
2004355594.tif 000003